(57)【要約】【課題】商品の販売数に応じて販売価格を上昇させる。【解決手段】商品の購入に関連する購入情報を取得する購入情報取得部と、商品の販売価格を記憶する価格記憶部と、販売価格で商品の決済をする決済部とを備え、価格記憶部は、購入情報取得部が購入情報を取得した回数に応じて、より高い価格に販売価格を更新する商品販売装置を提供する。例えば、購入情報取得部は、商品の決済が終了したことを示す決済情報を決済部から取得し、価格記憶部は、購入情報取得部が決済情報を取得した回数に応じて、より高い価格に販売価格を更新する。【選択図】図１
2013003614.tif 000002
【特許請求の範囲】
【請求項１】
商品の購入に関連する購入情報を取得する購入情報取得部と、
前記商品の販売価格を記憶する価格記憶部と、
前記販売価格で前記商品の決済をする決済部と
を備え、
前記価格記憶部は、前記購入情報取得部が前記購入情報を取得した回数に応じて、より高い価格に前記販売価格を更新する商品販売装置。
【請求項２】
前記購入情報取得部は、前記商品の決済が終了したことを示す決済情報を前記決済部から取得し、
前記価格記憶部は、前記購入情報取得部が前記決済情報を取得した回数に応じて、より高い価格に前記販売価格を更新する請求項１に記載の商品販売装置。
【請求項３】
購入を予定していることを示す購入予定情報を取得する購入予定情報取得部をさらに備え、
前記購入情報取得部は、前記購入予定情報を取得し、
前記価格記憶部は、前記購入情報取得部が前記購入予定情報を取得した回数に応じて、より高い価格に前記販売価格を更新する請求項１に記載の商品販売装置。
【請求項４】
前記購入情報取得部は、前記購入情報を取得するごとに増加する購入情報取得順位を記憶し、
前記価格記憶部は、前記購入情報取得順位に基づいて前記販売価格を更新する請求項１から３のいずれか一項に記載の商品販売装置。
【請求項５】
前記購入情報取得部は、前記商品を購入するユーザに関連するユーザ情報を含む前記購入情報を取得し、
前記価格記憶部は、前記ユーザ情報に対応する個別販売価格を記憶する請求項１から４のいずれか一項に記載の商品販売装置。
【請求項６】
前記価格記憶部は、予め定められた期間中は、前記販売価格が更新された場合に前記個別販売価格を更新しない請求項５に記載の商品販売装置。
【請求項７】
前記価格記憶部は、
前記購入情報取得部が前記購入情報を取得した累積回数が予め定められた回数に達すると前記販売価格を算出する価格算出部と、
前記価格算出部が算出した前記販売価格として記憶する記憶部と
を有する請求項１から６のいずれか一項に記載の商品販売装置。
【請求項８】
前記価格算出部は、前記購入情報取得部が直前に前記購入情報を取得してからの経過時間に応じて、前記販売価格を低下させる請求項７に記載の商品販売装置。
【請求項９】
前記価格記憶部が記憶する前記販売価格を表示する価格表示部をさらに備え、
前記価格記憶部は、前記価格記憶部が前記販売価格を更新した価格更新時刻に対応づけて前記販売価格の更新履歴を記憶し、
前記価格表示部は、前記価格更新時刻と前記販売価格の更新履歴とを対応づけて表示する請求項１から８のいずれか一項に記載の商品販売装置。
【請求項１０】
前記価格表示部は、予め定められた時間の範囲内における前記販売価格の変化量に基づく順序で、複数の種類の商品を表示する請求項９に記載の商品販売装置。
【請求項１１】
商品の購入に関連する購入情報を取得し、
前記商品の販売価格を記憶し、
前記販売価格で前記商品の決済をし、
前記購入情報に応じて、より高い価格に前記販売価格を更新する商品販売方法。
【請求項１２】
コンピュータに、
商品の購入に関連する購入情報を取得させる手順、
前記商品の販売価格を記憶させる手順、
前記販売価格で前記商品の決済をさせる手順、
前記購入情報に応じて、より高い価格に前記販売価格を更新させる手順を実行させるためのプログラム。
【発明の詳細な説明】
【技術分野】
【０００１】
本発明は、商品販売装置、商品販売方法及びプログラムに関する。
【背景技術】
【０００２】
従来、ウェブサイトに掲載されたデジタルコンテンツなどの商品は、フリーウェアとして無料で販売されたり、シェアウェアとして特定の価格で販売されたりしている。また、ウェブサイトで販売する商品の価格を設定する方法として、予約数に応じて価格が安くなる複数の段階的な価格を設定する方法が知られている（例えば、特許文献１参照）。また、商品の販売を開始してからの時間の経過に伴って販売価格を低下させる方法も知られている（例えば、特許文献２参照）。
【０００３】
【特許文献１】特開２００９−１１６９１０号公報
【特許文献２】特開２００９−４３２１１号公報
【発明の概要】
【発明が解決しようとする課題】
【０００４】
フリーウェアのように商品を無料で販売すると、開発費を回収できない。他方、シェアウェアとして商品を販売する場合には、ニーズに応じてできるだけ多くの利益を確保しつつ、できるだけ多くの商品を販売できる適切な価格を設定することが困難であった。
【０００５】
商品の予約数が増えれば増えるほど価格が安くなったり、時間の経過とともに価格が安くなったりする販売方法が用いられる場合には、購入を検討している人にとっては、価格の低下に伴って商品を買い求めやすくなる。しかしながら、価格が低下すると、商品の販売者は、十分な利益を確保することが難しくなる。また、価格の低下が予想される場合には、購入を検討している人が速やかに購入したいという意欲を阻害し、商品が買い控えられる場合がある。
【０００６】
特に、デジタルコンテンツのように同一の商品が大量に販売される場合には、購入時期を遅らせることによって商品の購入ができなくなることが懸念されない。その結果、購入を検討している人に、購入時期を遅らせるという動機付けが生じるので、商品の販売力が低下する。
【課題を解決するための手段】
【０００７】
上記課題を解決するために、本発明の第１の態様においては、商品の購入に関連する購入情報を取得する購入情報取得部と、商品の販売価格を記憶する価格記憶部と、販売価格で商品の決済をする決済部とを備え、価格記憶部は、購入情報取得部が購入情報を取得した回数に応じて、より高い価格に販売価格を更新する商品販売装置を提供する。例えば、購入情報取得部は、商品の決済が終了したことを示す決済情報を決済部から取得し、価格記憶部は、購入情報取得部が決済情報を取得した回数に応じて、より高い価格に販売価格を更新する。購入情報取得部は、複数の種類の商品に対する購入情報を取得し、価格記憶部は、商品の種類ごとに販売価格を記憶してもよい。
【０００８】
上記の商品販売装置は、購入を予定していることを示す購入予定情報を取得する購入予定情報取得部をさらに備え、購入情報取得部は、購入予定情報を取得し、価格記憶部は、購入情報取得部が購入予定情報を取得した回数に応じて、より高い価格に販売価格を更新してもよい。前記購入情報取得部は、購入情報を取得するごとに増加する購入情報取得順位を記憶し、価格記憶部は、購入情報取得順位に基づいて販売価格を更新してもよい。また、購入情報取得部は、商品を購入するユーザに関連するユーザ情報を含む購入情報を取得し、価格記憶部は、ユーザ情報に対応する個別販売価格を記憶してもよい。一例として、価格記憶部は、予め定められた期間中は、販売価格が更新されたとしても個別販売価格を更新しない。
【０００９】
価格記憶部は、購入情報に応じて販売価格を算出する価格算出部と、価格算出部が算出した販売価格として記憶する記憶部とを有する。例えば、価格算出部は、購入情報取得部が購入情報を取得した累積回数に応じて、販売価格を算出する。価格算出部は、累積回数が予め定められた回数に達するタイミングで販売価格を算出してもよい。
【００１０】
価格算出部は、購入情報取得部が直前に購入情報を取得してからの経過時間に応じて、販売価格を低下させてもよい。価格算出部は、購入情報取得部が直前に購入情報を取得してから予め定められた時間が経過すると、記憶部が記憶している最新の販売価格よりも低い販売価格を算出してもよい。一例として、最新の販売価格よりも低い販売価格は、価格記憶部が最初に記憶していた販売価格よりは高い。価格算出部は、購入情報取得部が予め定められた時間内に複数の購入情報を取得した場合に、複数の購入情報に対して同一の販売価格を算出してもよい。
【００１１】
価格算出部は、購入情報取得部が、購入をキャンセルすることを示す情報を取得した回数に応じて、記憶部が記憶する最新の販売価格よりも低い販売価格を算出してもよい。価格算出部は、購入情報取得部が、購入情報を取得してから予め定められた期間を経過した後は、購入情報取得部が購入をキャンセルすることを示す情報を取得した場合にも、記憶部が記憶する最新の販売価格よりも低い販売価格を算出しないでもよい。
【００１２】
商品販売装置は、価格記憶部が記憶する販売価格を表示する価格表示部をさらに備えてもよい。価格記憶部は、価格記憶部が販売価格を更新した価格更新時刻に対応づけて、更新された販売価格の更新履歴を記憶してもよい。価格表示部は、価格更新時刻と販売価格の更新履歴とを対応づけて表示してもよい。価格表示部は、価格記憶部が販売価格を更新したことを表示してもよい。価格表示部は、販売価格が更新されると、予め登録された電子メールアドレスに販売価格を更新したことを表示する電子メールを送信してもよい。価格表示部は、予め定められた時間の範囲内における販売価格の変化量に基づく順序で、複数の種類の商品を表示してもよい。
【００１３】
本発明の第２の態様においては、商品の購入に関連する購入情報を取得し、商品の販売価格を記憶し、販売価格で商品の決済をし、購入情報に応じて、より高い価格に販売価格を更新する商品販売方法を提供する。
【００１４】
本発明の第３の態様においては、コンピュータに、商品の購入に関連する購入情報を取得させる手順、商品の販売価格を記憶させる手順、販売価格で商品の決済をさせる手順、購入情報に応じて、より高い価格に販売価格を更新させる手順を実行させるためのプログラムを提供する。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】本発明の一実施形態に係る商品販売装置１００の構成例を示す。
【図２】商品販売装置１００の動作フローチャートの一例を示す。
【図３】商品販売装置１００の動作フローチャートの他の例を示す。
【図４】他の実施形態に係る商品販売装置２００の構成例を示す。
【図５】図４に示した商品販売装置１００の動作フローチャートの一例を示す。
【図６】商品販売装置１００にアクセスした端末に表示される価格表示画面の一例を示す。
【図７】商品販売装置１００にアクセスした端末に表示される決済画面の一例を示す。
【図８】記憶部１２４が記憶するデータの一例を示す。
【図９】記憶部１２４が記憶するデータの他の例を示す。
【図１０】価格算出部１２２が販売価格の算出に用いる、購入情報の累積数と販売価格との関係を示すテーブルの一例を示す。
【図１１】購入情報取得数と販売価格との関係の一例を示す。
【図１２】購入情報取得数と販売価格との関係の他の例を示す。
【図１３】購入情報取得数と販売価格との関係の他の例を示す。
【図１４】購入情報取得数と販売価格との関係の他の例を示す。
【図１５】購入情報取得数と販売価格との関係の他の例を示す。
【図１６】購入情報取得数と販売価格との関係の他の例を示す。
【図１７】商品の販売を開始してからの経過時間と購入情報取得数との関係、及び、経過時間と販売価格との関係の一例を示す。
【図１８】複数の商品の購入情報取得数と販売価格との関係の一例を示す。
【図１９】商品の販売を開始してからの経過時間と販売価格との関係の一例を示す。
【図２０】他の実施形態に係るコンピュータ１０００のハードウェア構成の一例を示す。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、本発明の一実施形態に係る商品販売装置１００の構成例を示す。商品販売装置１００は、購入情報取得部１１０、価格記憶部１２０、決済部１３０及び価格表示部１４０を備える。購入情報取得部１１０は、商品が購入される確率との相関を有する購入情報を取得する。購入情報取得部１１０は、ネットワーク５０に接続されている。ネットワーク５０は、例えばインターネットである。
【００１９】
一例として、商品販売装置１００は、ネットワーク５０に接続されている他のコンピュータから送信された情報を受けて、商品販売装置１００が販売する複数の種類の商品の情報をネットワーク５０に送信するウェブサイトのサーバーとして機能する。商品販売装置１００は、ネットワーク５０に接続されているデジタルテレビ、携帯電話などのように、操作部及び表示部を有する端末から送信された情報を受けて、商品販売装置１００が販売する複数の種類の商品の情報をネットワーク５０に送信してもよい。
【００２０】
商品販売装置１００が販売する商品は、同一の仕様の複数の商品である。当該商品は、例えば、ＰＣ又は携帯電話で使用するアプリケーションソフト、音楽コンテンツ、画像コンテンツなどのデジタルコンテンツである。当該商品は、日用品、電気機器などの有体物であってもよい。当該商品は、ゴルフ会員権、ホテル会員権などの権利であってもよい。当該商品は、サーバー又はクラウドに格納されたコンテンツ又はソフトウェアをダウンロードすることなく使用する権利であってもよい。
【００２１】
購入情報取得部１１０は、商品販売装置１００が提供するウェブサイトにアクセスした端末において入力された、商品の購入に関連する購入情報を取得する。購入情報は、例えば、ウェブサイトにアクセスした端末のユーザが商品を購入する意思を示す購入意思情報である。購入情報は、ユーザが商品を購入する確率と相関を有する情報であってもよい。
【００２２】
具体的には、購入情報取得部１１０は、ウェブサイトにアクセスした端末のユーザが、端末に表示された複数の商品から特定の商品を選択した状態で、当該商品を購入する意思を示すための購入ボタンをクリックしたことを検出する。購入ボタンがクリックされると、当該ユーザが商品を購入する確率が高まるので、購入ボタンがクリックされたことを示す情報は商品が購入される確率との間に相関を有する。購入情報取得部１１０は、購入ボタンがクリックされたことを検出したことを、ユーザが商品を購入する意思を示す購入意思情報として取得してもよい。
【００２３】
ウェブサイトにアクセスした端末のユーザが、ウェブサイトに表示されている複数の商品のうちのいずれかの商品を選択した場合にも、当該ユーザが選択した商品を購入する確率が高まるので、商品が選択されたことを示す情報は商品が購入される確率との間に相関を有する。そこで、購入情報取得部１１０は、ウェブサイトにアクセスした端末のユーザが、ウェブサイトに表示されている複数の商品のうちのいずれかの商品を選択したことを示す情報を、購入意思情報として取得してもよい。
【００２４】
ウェブサイトにアクセスした端末のユーザが、ウェブサイトに表示されている複数の商品のうちのいずれかの商品を選択した上で、当該ユーザが購入を予定する商品を一時保存する購入カート（買い物かご）に入れた場合にも、購入カートに入れられた商品が購入される確率が高まるので、商品が選択されたことを示す情報は商品が購入される確率との間に相関を有する。そこで、購入情報取得部１１０は、ウェブサイトにアクセスした端末のユーザが、商品を購入カートに入れたことを示す情報を、購入意思情報として取得してもよい。
【００２５】
購入情報取得部１１０は、取得した購入情報の取得順位を管理してもよい。例えば、購入情報取得部１１０は、商品販売装置１００が商品の販売を開始してから、購入情報を取得するごとに１つずつ増加する購入情報取得順位をメモリに記憶する。購入情報取得部１１０は、購入情報取得順位に対応するメモリアドレスに購入順位を記憶してよい。
【００２６】
価格記憶部１２０は、商品の販売価格を記憶する。価格記憶部１２０は、複数の商品のそれぞれに対応づけて異なる販売価格を記憶してもよい。価格記憶部１２０は、購入情報取得部１１０が購入情報を取得した回数に応じて、より高い価格に販売価格を更新する。例えば、価格記憶部１２０は、ウェブサイトにアクセスした端末のユーザが購入ボタンをクリックした回数に応じて、記憶している販売価格を、より高い価格に更新する。価格記憶部１２０は、ユーザが購入ボタンをクリックするごとに、販売価格を増加させてよい。
【００２７】
価格記憶部１２０は、ウェブサイトにアクセスした端末のユーザが予め定められた回数だけ購入ボタンをクリックするごとに、販売価格を増加させてもよい。価格記憶部１２０は、複数の異なるユーザが購入ボタンをクリックした回数を累積し、累積した回数が予め定められた回数に到達すると、販売価格を増加させてもよい。
【００２８】
価格記憶部１２０は、例えば、価格算出部１２２及び記憶部１２４を有する。価格算出部１２２は、購入情報取得部１１０が取得した購入情報に応じて商品の販売価格を算出する。価格算出部１２２は、例えばプログラムにより動作するプロセッサ（ＣＰＵ）である。
【００２９】
記憶部１２４は、価格算出部１２２が算出した販売価格を記憶するメモリである。記憶部１２４が有するメモリは、記憶したデータの書き換えが可能なメモリである。当該メモリは、揮発性メモリ（ＲＡＭ）であってもよく、不揮発性メモリ（ＲＯＭ）であってもよい。記憶部１２４は、購入情報取得部１１０が記憶する購入情報取得順位に対応する販売価格を記憶してもよい。
【００３０】
価格算出部１２２は、一例として、購入情報取得部１１０が購入情報を取得するごとに、記憶部１２４から販売価格を読み出して、読み出した販売価格を予め定められた金額だけ増加させて新たな販売価格を算出する。価格算出部１２２は、購入情報取得部１１０が購入情報を取得した累積回数に応じて、販売価格を算出してもよい。例えば、価格算出部１２２は、購入情報取得部１１０が購入情報を取得した累積回数が予め定められた回数に達すると、新たな販売価格を算出する。
【００３１】
価格算出部１２２は、購入情報の種類によって重み付けされた重み付け購入情報に基づいて、購入情報を取得した累積回数を決定してもよい。例えば、価格算出部１２２は、ユーザが、ウェブサイトに表示されている複数の商品のうちのいずれかの商品を選択した場合に、１回分だけ累積回数を増加させる。価格算出部１２２は、ユーザが商品を購入カートに入れた場合に、２回分だけ累積回数を増加させる。価格算出部１２２は、ユーザが購入ボタンをクリックした場合に、３回分だけ累積回数を増加させる。価格算出部１２２は、重み付けされた購入情報に基づいて、新たな販売価格を算出してよい。
【００３２】
価格算出部１２２は、商品の販売予定数に応じて、商品の種類ごとに異なる累積回数において新たな販売価格を算出してもよい。例えば、商品Ａの販売予定数が商品Ｂの販売予定数よりも多い場合には、価格算出部１２２は、商品Ａの新たな販売価格を算出する頻度を、商品Ｂの新たな販売価格を算出する頻度よりも低くしてよい。
【００３３】
一例として、価格算出部１２２は、新たな販売価格を算出する頻度と販売予定数との比を、複数の商品で同一にする。具体的には、商品Ａの販売予定数が１万個であり、商品Ｂの販売予定数が１０００個である場合には、価格算出部１２２は、商品Ａの購入情報の累積回数が１０００増加するごとに新たな販売価格を算出する。価格算出部１２２は、商品Ｂの購入情報の累積回数が１００増加するごとに新たな販売価格を算出する。
【００３４】
価格算出部１２２は、商品の原価に応じて、商品の種類ごとに異なる累積回数において新たな販売価格を算出してもよい。例えば、価格算出部１２２は、商品の原価に対する最新の販売価格の比に応じて、販売価格を上げる頻度を決定する。価格算出部１２２は、商品の原価に対する最新の販売価格の比が大きいほど、販売価格を上げる頻度を下げてよい。
【００３５】
価格算出部１２２は、購入情報取得部１１０が予め定められた時間内に複数の購入情報を取得した場合に、複数の購入情報に対して、同一の販売価格を算出してもよい。例えば、価格算出部１２２は、同一の商品を複数個購入することを示す購入情報を取得すると、商品ごとに販売価格を増加させるのではなく、同時に購入される複数個の商品を同一の販売価格とする。価格算出部１２２は、購入カートに入れられた同一の商品に対して同一の販売価格を算出してもよい。
【００３６】
価格算出部１２２は、購入情報取得部１１０が、購入をキャンセルすることを示す情報を取得した回数に応じて、記憶部１２４が記憶する最新の販売価格よりも低い販売価格を算出してもよい。価格算出部１２２は、算出した販売価格を記憶部１２４に書き込む。価格算出部１２２は、購入情報取得部１１０が購入情報を取得してから予め定められた期間を経過した後は、購入をキャンセルすることを示す情報を購入情報取得部１１０が取得した場合に、記憶部１２４が記憶する最新の販売価格よりも低い販売価格を算出することを禁止してもよい。
【００３７】
価格算出部１２２は、例えば、メモリに記憶した購入情報取得数と販売価格とを対応づけたテーブルに基づいて販売価格を算出する。価格算出部１２２は、購入情報取得数と販売価格との関数に基づく演算式に基づいて、販売価格を算出してもよい。価格算出部１２２は、販売価格を算出するアルゴリズムが記述されたプログラムを実行することにより、販売価格を算出してもよい。
【００３８】
価格算出部１２２は、購入情報取得部１１０から購入情報取得順位を取得して、購入情報取得順位に対応する販売価格を算出してもよい。例えば、価格算出部１２２は、購入情報取得順位が大きくなるにしたがって、販売価格を増加させる。価格算出部１２２は、記憶部１２４に記憶された、購入情報取得順位に対応する販売価格を読み出すことにより、購入情報取得部１１０から入力された購入情報に対する販売価格を算出してもよい。
【００３９】
価格算出部１２２は、複数の購入情報取得順位に対して同一の販売価格を算出してもよい。例えば、購入情報取得順位が第１群（例えば１位から１０位）に属する場合には、価格算出部１２２は、販売価格として第１の販売価格を算出する。購入情報取得順位が第１群よりも大きい第２群（例えば１１位から２０位）に属する場合には、価格算出部１２２は、販売価格として第１の販売価格よりも高い第２の販売価格を算出する。
【００４０】
記憶部１２４は、商品に対応するメモリアドレスに、価格算出部１２２が算出した販売価格を記憶する。記憶部１２４は、メモリの第１のアドレスに商品名を格納し、当該メモリの第２のアドレスに、第１のアドレスに格納された商品に対応する価格情報を格納してもよい。記憶部１２４は、商品名と価格情報を、それぞれ異なるメモリに記憶してもよい。記憶部１２４は、複数の商品のそれぞれに対応づけて販売価格を記憶してもよい。
【００４１】
決済部１３０は、価格記憶部１２０が記憶している販売価格で商品の決済をする。例えば、決済部１３０は、購入情報取得部１１０が取得した購入情報に基づいて定められる商品に対応する販売価格を価格記憶部１２０から読み出し、読み出した販売価格に対応する金額を購入者から受領するための処理を実行する。決済部１３０は、価格記憶部１２０が記憶している販売価格のうち、最新の販売価格以外の販売価格で決済をしてもよい。決済部１３０は、商品販売装置１００が販売する複数の商品のそれぞれの販売価格が、記憶部１２４が有するメモリのどのアドレスに格納されているかを記憶してもよい。
【００４２】
具体的には、決済部１３０は、ウェブサイトにアクセスした端末のユーザが、表示された複数の商品から特定の商品を選択した状態で購入ボタンをクリックしたことを購入情報取得部１１０から通知されると、クレジットカード番号を入力する画面を表示してよい。決済部１３０は、クレジットカード番号が入力されると、クレジットカード会社のサーバーとの間で決済情報を通信することにより、販売する商品の決済をしてもよい。
【００４３】
決済部１３０は、クレジットカードによる決済の代わりに、又はクレジットカードによる決済とともに、商品を購入したユーザに対して、決済が終了したことを通知する電子メールを送信してもよい。決済部１３０は、商品を購入したユーザに対して送付すべき請求書を生成してもよい。決済部１３０は、決済したユーザに関する情報に対応づけて決済額を記憶してもよい。
【００４４】
価格記憶部１２０は、決済部１３０が商品の決済を終了した回数に応じて、より高い価格に販売価格を更新してもよい。具体的には、購入情報取得部１１０は、商品の決済が終了したことを示す決済情報を決済部１３０から取得する。価格記憶部１２０は、購入情報取得部１１０から当該決済情報を取得する。価格記憶部１２０は、決済情報を取得するごとに、販売価格を更新してよい。価格記憶部１２０は、予め定められた数の決済情報を取得するごとに、販売価格を更新してもよい。価格記憶部１２０は、決済情報を購入情報取得部１１０から取得する代わりに、決済部１３０から直接取得してもよい。
【００４５】
価格表示部１４０は、価格記憶部１２０が記憶している販売価格を表示する。価格算出部１２２は、記憶部１２４から販売価格を取得して価格表示部１４０に入力する。価格表示部１４０は、価格算出部１２２から入力された販売価格を商品名に対応づけて表示する。
【００４６】
例えば、価格表示部１４０は、販売価格が更新されるごとに、リアルタイムで販売価格を表示する。価格表示部１４０がリアルタイムで販売価格を表示することにより、商品購入を検討しているユーザは、検討している間に販売価格が上昇していることを認識する。したがって、商品販売装置１００は、商品を早く購入することをユーザに促すことができる。
【００４７】
価格表示部１４０は、販売価格の更新履歴を表示してもよい。具体的には、価格表示部１４０は、更新された全ての販売価格と、それぞれの販売価格に更新された時刻又は日時を示す情報とを価格記憶部１２０から取得する。一例として、価格表示部１４０は、更新された時刻と、当該時刻に対応する販売価格とを対応づけて表示する。例えば、価格表示部１４０は、横軸が商品の販売を開始してからの経過時間を示し、縦軸にそれぞれの経過時間における販売価格を示すグラフを表示する。
【００４８】
価格表示部１４０は、販売価格が更新された場合に、販売価格が更新されたことを表示してもよい。価格表示部１４０は、販売価格が更新された場合に、予め定められた電子メールアドレスに、販売価格が更新されたことを表示する電子メールを送信してもよい。
【００４９】
図２は、商品販売装置１００の動作フローチャートの一例を示す。商品販売装置１００は、ネットワーク５０を介して接続された端末からのアクセスを受けると、販売する商品の情報を送信して販売する商品を当該端末の画面に表示させる（Ｓ２００）。次に、商品販売装置１００は、当該端末のユーザが商品を購入したかどうかを監視する（Ｓ２１０）。具体的には、商品販売装置１００は、ユーザが購入ボタンをクリックしたかどうかを監視する。商品販売装置１００は、Ｓ２００において複数の商品を表示させた上で、ユーザが、選択した商品の購入ボタンをクリックしたかどうかを監視してもよい。
【００５０】
商品販売装置１００は、購入予定者が購入ボタンをクリックしたことを検出すると、決済処理を行う（Ｓ２２０）。商品販売装置１００は、決済処理が終了したことを端末に送信して、端末の画面に表示させてもよい。決済処理が終了すると、商品販売装置１００は、価格記憶部１２０が記憶している販売価格を更新する（Ｓ２３０）。
【００５１】
図３は、商品販売装置１００の動作フローチャートの他の例を示す。商品販売装置１００は、ネットワーク５０を介して接続された端末からのアクセスを受けると、販売する複数の商品の情報を送信して販売する複数の商品を当該端末の画面に表示させる（Ｓ３００）。次に、商品販売装置１００は、購入予定者が複数の商品からいずれかの商品を選択したかどうかを監視する（Ｓ３１０）。商品販売装置２００は、購入予定者が商品を選択したことを検出すると、価格記憶部１２０が記憶している販売価格を更新する（Ｓ３２０）。商品販売装置１００は、販売価格を更新した後に、決済部１３０において決済処理をする（Ｓ３３０）。商品販売装置１００は、決済部１３０において決済処理をする前に、更新後の販売価格を端末に送信して、端末の画面に表示させてもよい。
【００５２】
図４は、本実施形態に係る商品販売装置１００の他の構成例を示す。商品販売装置１００は、図１に示した商品販売装置１００に対して、購入を予定していることを示す購入予定情報を取得する購入予定情報取得部１５０をさらに備える。購入情報取得部１１０は、購入予定情報取得部１５０から購入予定情報を取得する。価格記憶部１２０は、購入情報取得部１１０が購入予定情報を取得した回数に応じて、より高い価格に販売価格を更新する。購入予定情報取得部１５０は、例えば、購入予定者が購入を予定する商品を一時保存する購入カートである。
【００５３】
図５は、図４に示した商品販売装置１００の動作フローチャートの一例を示す。商品販売装置１００は、ネットワーク５０を介して接続された端末からのアクセスを受けると、販売する複数の商品の情報を送信して販売する複数の商品を当該端末の画面に表示させる（Ｓ４００）。次に、商品販売装置１００は、購入予定者が複数の商品のうちのいずれかの商品を購入カートに入れたかどうかを監視する（Ｓ４１０）。
【００５４】
商品販売装置１００は、商品が購入カートに入れられたことを検出すると、価格記憶部１２０が記憶している販売価格を更新する（Ｓ４２０）。商品販売装置１００は、販売価格を更新した後に、決済部１３０において決済処理をする（Ｓ４３０）。商品販売装置１００は、決済部１３０において決済処理をする前に、更新後の販売価格を端末に送信して、端末の画面に表示させてもよい。決済部１３０は、更新後の販売価格ではなく、Ｓ４１０において商品をカートに入れた時点での販売価格で決済処理をしてもよい。
【００５５】
図６は、商品販売装置１００にアクセスした端末に表示される価格表示画面４００の一例を示す。商品販売装置１００は、コンピュータ、デジタルテレビ及び携帯電話のいずれかの端末が、ネットワーク５０を介して予め定められたＩＰアドレスを有する商品販売装置１００にアクセスすると、当該端末に対して価格表示画面４００に対応するデータを送信する。
【００５６】
図６において、商品表示領域４１０には、商品販売装置１００が販売する商品名、商品の画像及び商品説明のうちの少なくとも１つが表示される。商品表示領域４１０がクリックされると、商品販売装置１００は、クリックされた商品が選択されたと判断して、クリックされた商品の詳細説明画面を表示させてもよい。
【００５７】
商品販売装置１００は、価格表示領域４２０に、それぞれの商品に対応付けて販売価格を表示させる。一例として、商品販売装置１００は、価格表示領域４２０に表示される販売価格をリアルタイムに変化させる。商品販売装置１００は、価格表示領域４２０に、商品の在庫数を始めとする他の情報を表示させてもよい。
【００５８】
商品販売装置１００は、購入予約領域４３０に、商品を購入カートに入れるためのボタンを表示させる。購入予約領域４３０がクリックされると、図４に示した商品販売装置１００における購入予定情報取得部１５０は、クリックされた商品の購入予定情報を取得する。
【００５９】
商品販売装置１００は、購入指示領域４４０に、商品を購入して決済をするためのボタンを表示させる。購入指示領域４４０がクリックされると、商品販売装置１００における決済部１３０は、決済処理をする画面を表示させる。
【００６０】
図７は、商品販売装置１００にアクセスした端末に表示される決済画面４５０の一例を示す。商品販売装置１００は、図７における商品表示領域４６０に、商品名、商品の画像及び商品説明のうちの少なくとも１つを表示させる。商品販売装置１００は、価格表示領域４７０に、リアルタイムで変化する最新の販売価格を表示させる。
【００６１】
商品販売装置１００は、価格履歴表示領域４８０に、商品Ａの販売価格の変更履歴を表示させる。商品販売装置１００は、価格履歴表示領域４８０に、時間の経過とともに価格が上昇することを示すことにより、速やかに決済をするという動機付けをユーザに与えることができる。商品販売装置１００は、決済指示領域４９０には、商品Ａの決済を指示するためのボタンを表示させる。当該ボタンがクリックされると、決済部１３０は決済処理を実行する。
【００６２】
図８は、記憶部１２４が記憶するデータの一例を示す。記憶部１２４は、販売価格を更新するごとに、更新した販売価格を順次異なるアドレスに格納する。記憶部１２４は、販売価格と、当該販売価格に更新された日時とを対応づけて記憶してもよい。記憶部１２４は、商品ごとに同様のテーブルを記憶してよい。
【００６３】
図９は、記憶部１２４が記憶するデータの他の例を示す。図９における「販売価格」は、購入情報取得部１１０が取得した購入予定情報に応じて更新される商品の販売価格である。「第１個別販売価格」は、第１のユーザが商品を購入する場合の販売価格を示す。「第２個別販売価格」は、第２のユーザが商品を購入する場合の販売価格を示す。このように、記憶部１２４は、商品販売装置１００にアクセスする端末のユーザに対応づけて異なる販売価格を記憶してもよい。
【００６４】
具体的には、購入情報取得部１１０は、商品を購入するユーザに関連するユーザ情報を含む購入情報を取得する。ユーザ情報は、ユーザに固有の情報であり、例えばログインＩＤである。価格記憶部１２０は、ユーザ情報に対応づけてユーザごとに異なる個別の販売価格を記憶する。
【００６５】
図９が示す例においては、販売価格が０円、１０円、２０円、３０円と増加するのに従って、第１個別販売価格が０円、１０円、１０円、１０円と推移している。また、第２個別販売価格は、０円、０円、２０円、２０円と推移している。価格記憶部１２０は、ユーザの過去の購入実績に基づいて、それぞれのユーザの個別販売価格を決定してもよい。例えば、価格記憶部１２０は、過去の購入量が多いユーザの個別販売価格を、他のユーザの個別販売価格よりも低くする。
【００６６】
価格記憶部１２０が、ユーザごとに異なる個別販売価格を記憶することにより、購入情報取得部１１０が特定のユーザから購入予定情報を取得してから予め定められた期間中は、販売価格が更新されたとしても、当該ユーザの個別販売価格を更新しないことができる。例えば、図５に示した例において、第１のユーザが商品を購入カートに入れた後に第２のユーザが商品を購入すると、第１のユーザが商品をカートに入れた後に、さらに販売価格が更新される。したがって、第１のユーザがカートに入れた時点で認識していた販売価格よりも、第１のユーザが決済する時点での販売価格が高くなる場合がある。
【００６７】
そこで、価格記憶部１２０は、第１のユーザが商品をカートに入れてから決済が終了するまでの間は、他のユーザが商品を購入したとしても、第１のユーザの個別販売価格を更新しない。商品販売装置１００は、商品の購入を予約する「予約」ボタンを表示させて、「予約」ボタンがクリックされてから決済が終了するまでの間、「予約」ボタンをクリックしたユーザの個別販売価格を更新しないで維持してもよい。価格記憶部１２０は、「予約」ボタンがクリックされてから予め定められた時間が経過しても決済が終了しない場合には、個別販売価格を最新の販売価格に更新してもよい。ユーザが購入する価格を予約できるようにすることで、多数のユーザが商品を購入する場合であっても、ユーザが落ち着いて購入を検討することができる。
【００６８】
図１０は、価格算出部１２２が販売価格の算出に用いる、購入情報の累積数と販売価格との関係を示すテーブルの一例を示す。価格算出部１２２は、購入情報取得部１１０が取得した購入情報の累積数が増加するにつれて、記憶部１２４に記憶させる販売価格を増加させる。図１０においては、購入情報累積数が１００以下の場合には、購入情報累積数が１０増加するごとに販売価格が１００円増加する。
【００６９】
価格算出部１２２は、購入情報累積数が予め定められた数より大きくなると、記憶部１２４に記憶させる販売価格の増加額を増やしてもよい。例えば、図１０においては、購入情報累積数が１００より大きくなると、購入情報累積数が１０増えるごとに販売価格が２００円ずつ増加している。
【００７０】
図１１は、購入情報取得数と販売価格との関係の一例を示す。図１１における横軸は、購入情報取得部１１０が取得した購入情報の数を示す。図１１の縦軸は、価格記憶部１２０が記憶している販売価格を示す。
【００７１】
図１１に示す例においては、価格記憶部１２０が記憶している販売価格は、購入情報取得数に応じて線形に変化している。例えば、購入情報取得部１１０が購入情報を取得していない販売開始時点では、販売価格は０円である。購入情報取得数が１００に到達した時点では、販売価格は１０００円である。図１１の例は、商品が１つ売れるごとに商品の価格が１０円増加する場合を示している。
【００７２】
図１１においては、購入情報取得数が１００以上の場合に、販売価格の増加率が増大している。このように、価格記憶部１２０は、購入情報取得部１１０が予め定められた数の購入情報を取得した後に、購入情報の取得に応じて販売価格を増加させる金額を変化させてもよい。価格記憶部１２０は、購入情報取得部１１０が予め定められた数の購買情報を取得した後に、販売価格の増加率を増大させてもよい。価格記憶部１２０が、購入情報の取得数に応じて販売価格の増加率を変化させることにより、商品の販売状況に応じて最適な商品価格を設定することができる。
【００７３】
購入情報取得部１１０は、購入情報取得数とともに商品の販売予定数に基づいて、販売価格の増加率を変化させてもよい。例えば、価格記憶部１２０は、購入情報取得数が、商品の販売予定数の５０％に到達した時点で、販売価格の増加率を増加させる。価格記憶部１２０は、購入情報取得数が、商品の販売予定数の７５％に到達した時点で、さらに販売価格の増加率を増加させてもよい。価格記憶部１２０がこのように制御することにより、販売残数が少なくなり希少価値が高まった商品を高額で販売することができる。
【００７４】
図１２は、購入情報取得数と販売価格との関係の他の例を示す。図１２に示す例においては、購入情報取得数の増加に応じて、販売価格が離散的に増加している。価格記憶部１２０は、購入情報取得数が予め定められた数だけ増加するごとに、販売価格を予め定められた金額だけ増加させてよい。例えば、価格記憶部１２０は、購入情報取得数が２０以下の間は、販売価格を０円とする。価格記憶部１２０は、購入情報取得数が２０増加するごとに、販売価格を２５０円増加させることにより、購入情報取得数が１００に到達した時点で販売価格を１０００円にする。
【００７５】
価格記憶部１２０は、販売価格を増加させる購入情報取得数の間隔を変化させてもよい。例えば、価格記憶部１２０は、購入情報取得数が２０、５０又は１００に到達した時点で、販売価格を増加させてよい。価格記憶部１２０は、購入情報取得数に対する販売価格の関係を対応づけたテーブルを有してもよい。
【００７６】
図１３は、購入情報取得数と販売価格との関係の他の例を示す。図１３に示す例においては、購入情報取得数が０の時点での販売価格が５００円であり、購入情報取得数が１００に到達した時点で販売価格が１０００円に増加している。このように、価格記憶部１２０は、購入情報取得数が０の時点での初期価格を記憶し、購入情報取得数の増加に応じて、販売価格を初期価格から増加させてよい。
【００７７】
図１４は、購入情報取得数と販売価格との関係の他の例を示す。図１４に示す例においては、購入情報取得数が５０に到達するまでは、販売価格が０円に維持されている。このように、価格記憶部１２０は、商品の販売を開始してから購入情報取得数が予め定められた数に到達するまでの間、販売価格を０円に維持してもよい。価格記憶部１２０は、商品の販売予定数に基づいて、販売価格を初期価格に維持する累積購入情報取得数を定めてもよい。例えば、価格記憶部１２０は、購入情報取得数が、商品の販売予定数の５０％に到達するまでの間、販売価格を初期価格に維持してもよい。
【００７８】
図１５は、購入情報取得数と販売価格との関係の他の例を示す。図１５に示す例においては、購入情報取得数が１００に到達した後に、販売価格が１０００円に維持されている。このように、価格記憶部１２０は、購入情報取得数が予め定められた数に到達すると、販売価格の更新を停止して予め定められた価格に維持してもよい。価格記憶部１２０は、商品の販売予定数に基づいて、販売価格の更新を停止する購入情報取得数を決定してよい。
【００７９】
図１６は、購入情報取得数と販売価格との関係の他の例を示す。図１６に示す例においては、購入情報取得数に対して非線形に販売価格が変化している。このように、価格記憶部１２０は、購入情報取得数に応じて、販売価格の増加率を変化させてよい。例えば、価格記憶部１２０は、商品の販売を開始してからの購入情報取得数が予め定められたＮに到達するまでは、購入情報取得数の増加に伴って販売価格の増加率を増加させる。価格記憶部１２０は、購入情報取得数がＮ以上の場合に、購入情報取得数の増加に伴って販売価格の増加率を低下させてもよい。価格記憶部１２０は、購入情報取得数がＮに到達するまでは販売価格の増加率を低下させて、購入情報取得数がＮに到達した後に販売価格の増加率を増加させてもよい。
【００８０】
価格記憶部１２０は、商品の販売予定数に基づいて、販売価格の増加率を変化させる購入情報取得数を決定してもよい。例えば、価格記憶部１２０は、購入情報取得数が商品の販売予定数に対して予め定められた割合に到達するまでは販売価格の増加率を増加させる。価格記憶部１２０は、購入情報取得数が商品の販売予定数に対して予め定められた割合に到達すると販売価格の増加率を低下させる。
【００８１】
図１７は、商品の販売を開始してからの経過時間と購入情報取得数との関係、及び、経過時間と販売価格との関係の一例を示す。図１７に示す例においては、商品の販売を開始してから１００分が経過した時点で販売数の増加が一時的に停止し、経過時間が１４０分に到達してから販売数が再び増加している。また、経過時間が１００分に到達するまでは販売価格が単調増加しているが、経過時間が１００分から１４０分の間は販売価格が１０００円に維持され、経過時間が１４０分の時点で販売価格が５００円に低下している。
【００８２】
このように、価格算出部１２２は、購入情報取得部１１０が直前に購入情報を取得してからの経過時間に応じて、販売価格を低下させてもよい。具体的には、価格算出部１２２は、記憶部１２４が記憶している販売価格が更新された日時から経過した時間を監視し、販売価格が更新された日時からの経過時間が予め定められた時間を越えた場合に、予め定められた金額だけ販売価格を低下させる。価格算出部１２２は、販売価格を低下させた後に、さらに予め定められた時間が経過すると、さらに販売価格を低下させてもよい。価格算出部１２２は、販売価格を低下させた後に購入情報取得部１１０から購入情報を取得すると、販売価格を増加させる。
【００８３】
価格算出部１２２は、例えば、低下後の販売価格を、記憶部１２４が最初に記憶していた販売価格よりも高い価格に決定する。つまり、価格算出部１２２は、低下後の販売価格を、商品の販売を開始した時点での販売価格よりも高い価格にしてよい。
【００８４】
価格算出部１２２は、商品の種類、商品の販売予定数及び商品の利益率のいずれかに応じて、直前に購入情報を取得してから販売価格を低下させるまでの時間を決定してよい。特定の時間に渡って商品が購入されない場合に価格算出部１２２が販売価格を低下させることによって、商品を購入する意欲を増進させることができる。
【００８５】
図１８は、複数の商品の購入情報取得数と販売価格との関係の一例を示す。図１８においては、商品Ａの販売価格は、購入情報取得数に応じて非線形に増加している。商品Ｂの初期販売価格は０円であり、販売価格は購入情報取得数に応じて線形に増加している。商品Ｃの初期販売価格は３００円であり、商品Ｂの販売価格の増加率よりも低い増加率で、販売価格が購入情報取得数に応じて線形に増加している。このように、価格記憶部１２０は、商品ごとにそれぞれ異なる購入情報取得数と販売価格との関係に基づいて販売価格を更新してもよい。
【００８６】
図１９は、商品の販売を開始してからの経過時間と販売価格との関係の一例を示す。    価格表示部１４０は、予め定められた時間の範囲内における販売価格の変化量に基づく順序で、複数の種類の商品を表示してもよい。例えば、価格表示部１４０は、販売価格の増加率が大きな商品から順番に表示をする。販売価格の増加率が大きな商品は、販売頻度が高い売れ筋の商品なので、価格表示部１４０が、販売価格の増加率が大きな商品から表示することにより、売れ筋の商品を明示することができる。
【００８７】
図１９においては、商品Ａ、商品Ｂ及び商品Ｃのそれぞれの販売価格の履歴が示されている。図１９が示すように、商品の販売価格の増加率は、商品の販売を開始してからの経過時間に応じて異なるとともに、商品の種類によっても異なる。
【００８８】
そこで、価格表示部１４０は、販売価格の増加率が変化すると、商品を表示する順番を変更してよい。図１９が示す例の場合、価格表示部１４０は、経過時間が１０分から２０分までの間は、販売価格の増加率が最も大きい商品Ａに続いて、商品Ｂ、商品Ｃの順番に表示する。価格表示部１４０は、経過時間が５０分から６０分までの間は、販売価格の増加率が最も大きい商品Ｃに続いて、商品Ｂ、商品Ｃの順番に表示する。
【００８９】
図２０は、他の実施形態に係るコンピュータ１０００のハードウェア構成の一例を示す。コンピュータ１０００は、ＣＰＵ５００、ＲＯＭ５１０、ＲＡＭ５２０、グラフィックコントローラ５３０、表示装置５４０、通信インターフェイス５６０、通信コントローラ５５０、ディスクコントローラ５７０、ハードディスクドライブ５８０及びＣＤ−ＲＯＭドライブ５９０を備える。コンピュータ１０００は、ＣＰＵ５００がＲＯＭ５１０に格納されたプログラムを読み出して実行することにより、商品販売装置１００として機能する。
【００９０】
ＣＰＵ５００は、ディスクコントローラ５７０を介してハードディスクドライブ５８０に格納されたプログラムを読み出して実行することにより、商品販売装置１００として機能してもよい。ＣＰＵ５００は、記憶媒体６００に格納されたプログラムを読み出して実行することにより、商品販売装置１００として機能してもよい。
【００９１】
具体的には、ＣＰＵ５００は、プログラムを実行することにより、購入情報取得部１１０、価格算出部１２２、決済部１３０及び価格表示部１４０として機能する。ＣＰＵ５００は、ＲＡＭ５２０を記憶部１２４として使用する。ＣＰＵ５００は、通信コントローラ５５０及び通信インターフェイス５６０を介して、外部から購入情報を取得する。例えば、通信インターフェイス５６０はインターネットに代表されるネットワークに接続されており、ＣＰＵ５００はネットワークに接続された他のコンピュータから送信された購入情報を取得する。
【００９２】
また、ＣＰＵ５００は、通信コントローラ５５０及び通信インターフェイス５６０を介して接続された端末に、記憶部１２４に記憶されている販売価格情報を送信することにより、当該端末に商品の販売価格を表示させる。
【００９３】
一例として、コンピュータ１０００と外部のコンピュータとの間で通信を行う場合には、ＣＰＵ５００は、ＲＡＭ５２０上にロードされた通信プログラムを実行し、通信プログラムに記述された処理内容に基づいて、通信コントローラ５５０に対して通信処理を実行するように指示する。通信コントローラ５５０は、ＣＰＵ５００の制御を受けて、ＲＡＭ５２０に格納されたデータをネットワークに送信する。
【００９４】
ＣＰＵ５００が実行するプログラムは、ゲームを始めとするアプリケーションを実行するためのプログラムであってもよい。例えば、コンピュータ１０００は、ＣＰＵ５００がゲームのプログラムを実行することにより、ゲームの中で仮想的な商品を販売する商品販売装置１００として機能する。ＣＰＵ５００は、ゲームを実行するユーザが仮想的な商品を購入する意思を示す購入情報を取得する購入情報取得部１１０として機能してよい。ＣＰＵ５００は、当該購入情報に基づいて、仮想的な商品の価格を、より高い価格に更新する価格算出部１２２として機能してもよい。ＲＡＭ５２０は、仮想的な商品の最新価格を記憶する記憶部１２４として機能してもよい。
【００９５】
以上説明したように、本発明の実施形態に係る商品販売装置１００は、複数の同一の商品を販売する場合に、購入された個数又は購入する意思が示された回数に応じて、商品の販売価格を増加させることができる。その結果、商品販売装置１００は、商品を販売するウェブサイトを見たユーザに対して、商品を早く購入したいという動機付けを与えることができるので、商品の販売を促進することができる。
【００９６】
また、デジタルコンテンツの販売のように同一の仕様の商品を大量に販売する場合に、商品販売装置１００で商品を販売することにより、販売当初はフリーウェアと同様にユーザが購入しやすく、かつ、商品の知名度が上がるにつれて販売価格を上昇させることができるので、次第に利益が増加する。したがって、デジタルコンテンツの製作者が開発費を回収することができるようになる。
【００９７】
特に、本発明の実施形態に係る商品販売装置１００は、最新の販売価格をメモリに記憶し、商品の購入数に応じて販売価格をリアルタイムに更新するので、複数のユーザが短期間で同一商品を購入する場合においても、販売価格を速やかに更新することができる。
【００９８】
さらに、本発明の実施形態に係る商品販売装置１００は、商品の販売予定数及び商品の原価に応じて、販売価格を更新する頻度及び販売価格を増加させる金額を決定することができる。
【００９９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１００】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０１】
５０  ネットワーク、１００  商品販売装置、１１０  購入情報取得部、１２０  価格記憶部、１２２  価格算出部、１２４  記憶部、１３０  決済部、１４０  価格表示部、１５０  購入予定情報取得部、５００  ＣＰＵ、５１０  ＲＯＭ、５２０  ＲＡＭ、５３０  グラフィックコントローラ、５４０  表示装置、５５０  通信コントローラ、５６０  通信インターフェイス、５７０  ディスクコントローラ、５８０  ハードディスクドライブ、５９０  ＣＤ−ＲＯＭドライブ、６００  記憶媒体、１０００  コンピュータ
【図１】
2013003614.tif 000003
【図２】
2013003614.tif 000004
【図３】
2013003614.tif 000005
【図４】
2013003614.tif 000006
【図５】
2013003614.tif 000007
【図６】
2013003614.tif 000008
【図７】
2013003614.tif 000009
【図８】
2013003614.tif 000010
【図９】
2013003614.tif 000011
【図１０】
2013003614.tif 000012
【図１１】
2013003614.tif 000013
【図１２】
2013003614.tif 000014
【図１３】
2013003614.tif 000015
【図１４】
2013003614.tif 000016
【図１５】
2013003614.tif 000017
【図１６】
2013003614.tif 000018
【図１７】
2013003614.tif 000019
【図１８】
2013003614.tif 000020
【図１９】
2013003614.tif 000021
【図２０】
2013003614.tif 000022